(57)【要約】【課題】  洗濯槽の回転により洗濯槽から排水されてしまった洗濯水をポンプを用いることなく洗濯槽に戻すことが可能な洗濯機を提供する。【解決手段】  洗濯槽３の外周面３Ｄとハウジング５の内周面５Ｄとの間に、洗濯槽３の回転時に複数の貫通穴３Ｃからハウジング５の内周面５Ｄに向けて噴出した洗濯水を開口部３Ａ側に転向させる揚水翼９を設ける。これにより、複数の貫通穴３Ｃからハウジング５の内周面５Ｄに向けて噴出した洗濯水が揚水翼９に案内されて開口部３Ａ側に導かれる。したがって、洗濯槽３の回転により洗濯槽から排水されてしまった洗濯水をポンプを用いることなく洗濯槽３に戻すことが可能な洗濯機を得ることができる。【選択図】図１
2016097239.tif 000002
【特許請求の範囲】
【請求項１】
回転駆動されるとともに回転軸線方向一端側に洗濯物が投入可能な開口部が設けられた洗濯槽であって、外周壁に洗濯水が流通可能な複数の貫通穴が設けられた洗濯槽と、
前記洗濯槽が内部に収納されたハウジングと、
前記洗濯槽の外周面と前記ハウジングの内周面との間に設けられた揚水翼であって、前記洗濯槽の回転時に前記複数の貫通穴から前記ハウジングの内周面に向けて噴出した洗濯水を前記開口部側に転向させる揚水翼と
を備えることを特徴とする洗濯機。
【請求項２】
前記揚水翼は、前記洗濯槽の回転方向前進側に向かうほど、前記開口部側に近づくように、前記回転軸線と平行な方向に対して傾いていることを特徴とする請求項１に記載の洗濯機。
【請求項３】
前記揚水翼は、前記ハウジングの内周面に一体化されていることを特徴とする請求項１又は２に記載の洗濯機。
【発明の詳細な説明】
【技術分野】
【０００１】
本発明は、洗濯機に関する。
【背景技術】
【０００２】
例えば、特許文献１に記載の発明では、洗濯槽の回転により洗濯槽から排水されてしまった洗濯水をポンプにて洗濯槽に戻している。
【先行技術文献】
【特許文献】
【０００３】
【特許文献１】特開２００２−１１９７９４号公報
【発明の概要】
【発明が解決しようとする課題】
【０００４】
本発明は、上記点に鑑み、洗濯槽の回転により洗濯槽から排水されてしまった洗濯水をポンプを用いることなく洗濯槽に戻すことが可能な洗濯機を提供することを目的とする。
【課題を解決するための手段】
【０００５】
本願では、回転駆動されるとともに回転軸線方向一端側に洗濯物が投入可能な開口部（３Ａ）が設けられた洗濯槽（３）であって、外周壁に洗濯水が流通可能な複数の貫通穴（３Ｃ）が設けられた洗濯槽（３）と、洗濯槽（３）が内部に収納されたハウジング（５）と、洗濯槽（３）の外周面（３Ｄ）とハウジング（５）の内周面（５Ｄ）との間に設けられた揚水翼（９）であって、洗濯槽（３）の回転時に複数の貫通穴（３Ｃ）からハウジング（５）の内周面（５Ｄ）に向けて噴出した洗濯水を開口部（３Ａ）側に転向させる揚水翼（９）とを備えることを特徴とする。
【０００６】
これにより、本願発明では、複数の貫通穴（３Ｃ）からハウジング（５）の内周面（５Ｄ）に向けて噴出した洗濯水が揚水翼（９）に案内されて開口部（３Ａ）側に導かれる。
したがって、洗濯槽の回転により洗濯槽から排水されてしまった洗濯水をポンプを用いることなく洗濯槽（３）に戻すことが可能な洗濯機を得ることができる。
【０００７】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【０００８】
【図１】本発明の実施形態に係る洗濯機１の特徴を示す断面図であって、図２ＡのＡ−Ａ断面相当の図である。
【図２】Ａはハウジング５の上面図である。Ｂは、ハウジング５の内周面５Ｄの展開図である。
【図３】本発明の実施形態に係る洗濯機１の特徴を示す断面図である。
【発明を実施するための形態】
【０００９】
以下に説明する「発明の実施形態」は実施形態の一例を示すものである。つまり、特許請求の範囲に記載された発明特定事項等は、下記の実施形態に示された具体的手段や構造等に限定されるものではない。
【００１０】
本実施形態は、業務用洗濯機に本発明を適用したものである。各図に付された方向を示す矢印等は、各図相互の関係を理解し易くするために記載したものである。本発明は、各図に付された方向に限定されるものではない。
【００１１】
少なくとも符号を付して説明した部材又は部位は、「複数」や「２つ以上」等の断りをした場合を除き、少なくとも１つ設けられている。以下、本発明の実施形態を図面と共に説明する。
【００１２】
（第１実施形態）
１．洗濯機の概略構造
図１は本実施形態に係る洗濯機１の特徴部分を示す概念図である。図１に示すように、洗濯機１は、洗濯槽３、ハウジング５及び電動モータ７等を備えている。洗濯槽３は、電動モータ７により回転駆動される円筒状の槽である。
【００１３】
つまり、洗濯槽３は、回転軸線方向一端側に洗濯物が投入可能な開口部３Ａを有し、かつ、回転軸線方向他端側が閉塞されている。本実施形態に係る洗濯槽３は、その回転軸線Ｌ１が鉛直方向と一致するように設置される。このため、開口部３Ａは洗濯槽３の上端に位置する。洗濯槽３の下端は閉塞された構成となる。
【００１４】
洗濯槽３の外周壁、つまり円筒状の円筒部３Ｂには複数の貫通穴３Ｃが設けられている。これら貫通穴３Ｃは、洗濯槽３内に溜まった洗濯水が流通可能な穴である。円筒部３Ｂの内周面のうち開口部３Ａ側には、洗濯物を掛けるためのハンガー部３Ｅが設けられている。
【００１５】
ハウジング５は洗濯槽３を内部に収納する筒状の部材である。ハウジング５は、その中心軸線Ｌ２が洗濯槽３の回転軸線Ｌ１と平行となるように配置される。そして、ハウジング５の上端に開口部５Ａが設けられ、かつ、ハウジング５の下端は底板５Ｂにより閉塞されている。
【００１６】
なお、本実施形態では、ハウジング５は回転しない。ハウジング５内に収納された洗濯槽３のみが電動モータ７により回転駆動される。このため、洗濯槽３の下端部には、洗濯槽３に回転力を付与する駆動軸７Ａが組み付けられている。駆動軸７Ａは、底板５Ｂに設けられた軸穴５Ｃを貫通してハウジング５の外まで延びている。
【００１７】
駆動軸７Ａの延び方向先端（図１では、駆動軸７Ａの下端）側には、従動プーリ７Ｂが設けられている。電動モータ７の出力軸には駆動プーリ７Ｃが設けられている。そして、駆動プーリ７Ｃと従動プーリ７Ｂとの間にはＶベルト等のベルトが掛け渡されている。
【００１８】
なお、軸穴５Ｃは、駆動軸７Ａが貫通した状態でＯリング等の封止部材により液密に封止されている。このため、洗濯槽３の貫通穴３Ｃ等からハウジング５内に噴出した洗濯水がハウジング５外に漏れ出ることが抑制される。
【００１９】
２．揚水翼
図１に示すように、洗濯槽３の外周面３Ｄとハウジング５の内周面５Ｄとの間には、少なくとも１つの揚水翼９が設けられている。なお、本実施形態では揚水翼９は、図２Ａに示すように、内周面５Ｄに沿って９０度間隔で４つの揚水翼９Ａ〜９Ｄが設けられている。
【００２０】
各揚水翼９Ａ〜９Ｄは、洗濯槽３の回転時に複数の貫通穴３Ｃからハウジング５の内周面５Ｄに向けて噴出した洗濯水を開口部３Ａ側、つまり鉛直方向上方側に転向させる案内部材である。
【００２１】
各揚水翼９Ａ〜９Ｄは、図２Ｂに示すように、洗濯槽３の回転方向前進側に向かうほど、開口部３Ａ（鉛直方向上方側）側に近づくように、回転軸線Ｌ１と平行な方向（本実施形態では鉛直方向）に対して傾いている。
【００２２】
なお、本実施形態に係る各揚水翼９Ａ〜９Ｄは、ハウジング５の内周面５Ｄにボルトやリベット等機械的締結具又は溶接により一体化されている。因みに、ハウジング５、洗濯槽３及び各揚水翼９Ａ〜９Ｄは、ステンレス等の耐食性に優れた金属製である。
【００２３】
図１に示すように、ハウジング５の開口部５Ａ側には、当該開口部３Ａを開閉可能に閉塞する蓋部９が設けられている。蓋部９には、開口部３Ａを閉塞したときにハウジング５との蓋部９との隙間を液密に密閉するゴム等の弾性材にて構成されたパッキン（図示せず。）が設けられている。
【００２４】
３．本実施形態に係る洗濯機の特徴
本実施形態に係る洗濯機１において、洗濯槽３が回転すると、洗濯槽３の下部に貯留していた洗濯水は、洗濯槽３の内周面と洗濯水との接触部発生する粘性剪断力を受けて洗濯槽３と共に回転し始める。これにより、洗濯水は、自身に作用する遠心力（慣性力）により、複数の貫通穴３Ｃからハウジング５の内周面５Ｄに向けて噴出する。
【００２５】
複数の貫通穴３Ｃから噴出する洗濯水は、洗濯槽３の回転方向成分及び洗濯槽３の直径方向成分の速度を有する。このため、噴出した洗濯水は、ハウジング５の内周面５Ｄに衝突しながら揚水翼９に案内されて開口部３Ａ（鉛直方向上方）側に導かれた後、図３に示すように、蓋部９に衝突して開口部３Ａ側に転向させられる。したがって、洗濯槽３の回転により洗濯槽から排水されてしまった洗濯水をポンプを用いることなく洗濯槽上部内側に戻すことができる。
【００２６】
（その他の実施形態）
上述の実施形態では、各揚水翼９Ａ〜９Ｄがハウジング５の内周面５Ｄに一体化されていたが、本発明はこれに限定されるものではなく、例えば、洗濯槽３の外周面３Ｄに一体化されていてもよい。
【００２７】
なお、揚水翼９Ａ〜９Ｄを洗濯槽３の外周面３Ｄに一体化した場合には、回転軸線Ｌ１と平行な方向に対して傾いた案内面９Ｅ（図２Ｂ参照）に加えて、外周面３Ｄ又は内周面５Ｄと対向する案内面を設けることが望ましい。
【００２８】
上述の実施形態では、洗濯槽３の回転軸線Ｌ１が鉛直方向と一致していたが、本発明はこれに限定されるものではなく、例えば回転軸線Ｌ１が鉛直方向に対して傾いていてもよい。
【００２９】
また、本発明は、特許請求の範囲に記載された発明の趣旨に合致するものであればよく、上述の実施形態に限定されるものではない。
【符号の説明】
【００３０】
１… 洗濯機
３… 洗濯槽
３Ａ… 開口部
３Ｂ… 円筒部
３Ｃ… 貫通穴
３Ｅ… ハンガー部
５… ハウジング
５Ａ… 開口部
５Ｂ… 底板
５Ｃ… 軸穴
７… 電動モータ
７Ａ… 駆動軸
７Ｂ… 従動プーリ
７Ｃ… 駆動プーリ
９… 揚水翼
【図１】
2016097239.tif 000003
【図２】
2016097239.tif 000004
【図３】
2016097239.tif 000005